(57)【要約】【課題】無線ネットワークの親局の負荷を軽減し得る技術を提供する。【解決手段】ＭＦＰ１０は、ＭＦＰ１０と携帯端末５０の両方がＷＦＤＮＷに所属している状態で、ＡＰ１００が形成する通常Ｗｉ−ＦｉＮＷに参加する場合に、ＷＦＤＮＷを利用して、通常Ｗｉ−ＦｉＮＷで利用されている通常Ｗｉ−Ｆｉ無線プロファイルを携帯端末５０に送信する（Ｔ５２）。ＭＦＰ１０は、その後、ＷＦＤ通信設定を解除（即ち、携帯端末５０とのＷＦＤ接続を切断）する。携帯端末５０は、受信した通常Ｗｉ−Ｆｉ無線プロファイルを利用して、ＡＰ１００が形成する通常Ｗｉ−ＦｉＮＷに参加することができる。【選択図】図２
2015056681.tif 000002
【特許請求の範囲】
【請求項１】
第１の通信装置であって、
第１の無線ネットワークを利用して第２の通信装置と無線通信するための第１の無線通信設定を実行する設定部であって、前記第１の無線ネットワークでは、前記第１及び第２の通信装置のうちの一方が親局として動作し、他方が子局として動作する、前記設定部と、
特定のアクセスポイントによって形成されている第２の無線ネットワークに参加する参加部と、
前記第１及び第２の通信装置の両方が前記第１の無線ネットワークに所属している状態で、前記第１の通信装置が前記第２の無線ネットワークに参加する場合に、前記第１の無線ネットワークを利用して、特定の無線プロファイルを前記第２の通信装置に送信するプロファイル送信部であって、前記特定の無線プロファイルは、前記特定のアクセスポイントを特定するための無線プロファイルである、前記プロファイル送信部と、
前記特定の無線プロファイルが前記第２の通信装置に送信された後に、前記第１の無線通信設定を解除する解除部と、
を備える第１の通信装置。
【請求項２】
前記参加部は、前記第１及び第２の通信装置の両方が前記第１の無線ネットワークに所属している状態で、前記第１の通信装置を前記第２の無線ネットワークに参加させるための参加指示がユーザから与えられる場合に、前記第２の無線ネットワークに参加する、請求項１に記載の第１の通信装置。
【請求項３】
前記第１の通信装置は、さらに、
前記参加指示が与えられる場合に、前記第１の通信装置の周辺に存在する１個以上の周辺装置のそれぞれから、特定情報を取得する情報取得部であって、前記１個以上の周辺装置のそれぞれは、無線ネットワークの親局として動作している装置である、前記情報取得部と、
前記１個以上の周辺装置から取得される１個以上の前記特定情報を利用して、前記１個以上の周辺装置のそれぞれが、アクセスポイントであるのか、前記アクセスポイントとは異なる種類の機器であるのか、を判断する判断部と、
前記１個以上の周辺装置のうちの１個の周辺装置を前記ユーザに選択させるための選択画面を表示部に表示させる表示制御部であって、前記選択画面は、前記１個以上の周辺装置のうち、前記アクセスポイントであると判断される周辺装置を選択可能であり、かつ、前記１個以上の周辺装置のうち、前記アクセスポイントとは異なる種類の機器であると判断される周辺装置を選択不可能である表示態様を有する、前記表示制御部と、を備え、
前記参加部は、前記ユーザによって前記選択画面から選択される前記１個の周辺装置である前記特定のアクセスポイントによって形成されている前記第２の無線ネットワークに参加する、請求項２に記載の第１の通信装置。
【請求項４】
前記第１の無線ネットワークでは、前記第１の通信装置は、親局として動作し、
前記解除部は、前記第１の無線通信設定を解除するためのコマンドを前記第２の通信装置に送信する、請求項１から３のいずれか一項に記載の第１の通信装置。
【請求項５】
前記設定部は、さらに、前記第１の通信装置が前記第２の無線ネットワークに参加している状態で、前記第１の無線ネットワークを利用して前記第３の通信装置と無線通信するための第２の無線通信設定を実行し、
前記第１の無線ネットワークでは、前記第３の通信装置は、子局として動作し、
前記プロファイル送信部は、さらに、前記第２の無線通信設定が実行された後に、前記第１の無線ネットワークを利用して、前記特定の無線プロファイルを前記第３の通信装置に送信する、請求項４に記載の第１の通信装置。
【請求項６】
前記第１の通信装置は、さらに、
前記第１の無線ネットワークに所属する第４の通信装置から、前記第１の無線ネットワークを利用して、前記特定の無線プロファイルを受信するプロファイル受信部を備え、
前記参加部は、前記第４の通信装置から受信された前記特定の無線プロファイルを利用して、前記第２の無線ネットワークに参加する、請求項４又は５に記載の第１の通信装置。
【請求項７】
前記第１の通信装置は、さらに、
設定情報を記憶するメモリを備え、
前記プロファイル送信部は、
前記メモリ内の前記設定情報が第１の設定を示す場合に、前記特定の無線プロファイルを前記第２の通信装置に送信し、
前記メモリ内の前記設定情報が前記第１の設定とは異なる第２の設定を示す場合に、前記特定の無線プロファイルを前記第２の通信装置に送信しない、請求項１から６のいずれか一項に記載の第１の通信装置。
【請求項８】
前記第１の通信装置は、さらに、
前記第１及び第２の通信装置の両方が前記第１の無線ネットワークに所属している状態で、前記第１の通信装置が前記第２の無線ネットワークに参加する場合に、前記第２の通信装置が所定の動作を実行するのか否かを確認する確認部であって、前記所定の動作は、前記第２の通信装置が、前記第１の通信装置から前記特定の無線プロファイルを受信する場合に、前記第２の無線ネットワークに参加するための動作である、前記確認部を備え、
前記プロファイル送信部は、
前記第２の通信装置が前記所定の動作を実行することが確認される場合に、前記特定の無線プロファイルを前記第２の通信装置に送信し、
前記第２の通信装置が前記所定の動作を実行しないことが確認される場合に、前記特定の無線プロファイルを前記第２の通信装置に送信しない、請求項１から７のいずれか一項に記載の第１の通信装置。
【請求項９】
第２の通信装置であって、
第１の無線ネットワークを利用して第１の通信装置と無線通信するための第１の無線通信設定を実行する設定部であって、前記第１の無線ネットワークでは、前記第１及び第２の通信装置のうちの一方が親局として動作し、他方が子局として動作する、前記設定部と、
前記第１及び第２の通信装置の両方が前記第１の無線ネットワークに所属している状態で、前記第１の通信装置が、特定のアクセスポイントによって形成されている第２の無線ネットワークに参加する場合に、前記第１の無線ネットワークを利用して、前記第１の通信装置から特定の無線プロファイルを受信するプロファイル受信部であって、前記特定の無線プロファイルは、前記特定のアクセスポイントを特定するための無線プロファイルである、前記プロファイル受信部と、
前記特定の無線プロファイルを利用して、前記第２の無線ネットワークに参加する参加部と、
前記第１の通信装置から前記特定の無線プロファイルが受信された後に、前記第１の無線通信設定を解除する解除部と、
を備える第２の通信装置。
【請求項１０】
第１の通信装置のためのコンピュータプログラムであって、
前記コンピュータプログラムは、前記第１の通信装置に搭載されるコンピュータに、以下の各処理、即ち、
第１の無線ネットワークを利用して第２の通信装置と無線通信するための第１の無線通信設定を実行する設定処理であって、前記第１の無線ネットワークでは、前記第１及び第２の通信装置のうちの一方が親局として動作し、他方が子局として動作する、前記設定処理と、
特定のアクセスポイントによって形成されている第２の無線ネットワークに参加する参加処理と、
前記第１及び第２の通信装置の両方が前記第１の無線ネットワークに所属している状態で、前記第１の通信装置が前記第２の無線ネットワークに参加する場合に、前記第１の無線ネットワークを利用して、特定の無線プロファイルを前記第２の通信装置に送信するプロファイル送信処理であって、前記特定の無線プロファイルは、前記特定のアクセスポイントを特定するための無線プロファイルである、前記プロファイル送信処理と、
前記特定の無線プロファイルが前記第２の通信装置に送信された後に、前記第１の無線通信設定を解除する解除処理と、
を実行させるコンピュータプログラム。
【発明の詳細な説明】
【技術分野】
【０００１】
本明細書によって開示される技術は、複数の無線ネットワークを利用可能である通信装置に関する。
【背景技術】
【０００２】
非特許文献１には、Ｗｉ−Ｆｉ  Ａｌｌｉａｎｃｅによって策定されたＷｉ−Ｆｉ  Ｄｉｒｅｃｔ（以下では「ＷＦＤ」と呼ぶ）について記載されている。ＷＦＤのネットワークは、Ｇｒｏｕｐ  Ｏｗｎｅｒとして動作する１個の機器（以下では「Ｇ／Ｏ機器」と呼ぶ）と、Ｇ／Ｏ機器によって管理されるクライアントとして動作する１個以上の機器（以下では「クライアント機器」と呼ぶ）と、によって構成される。Ｇ／Ｏ機器は、アクセスポイント等の他装置を介さずに、クライアント機器と通信対象の対象データの無線通信を実行可能である。また、Ｇ／Ｏ機器は、複数個のクライアント機器の間の対象データの無線通信を中継可能である。
【先行技術文献】
【特許文献】
【０００３】
【非特許文献１】「Ｗｉ−Ｆｉ  Ｐｅｅｒ−ｔｏ−Ｐｅｅｒ（Ｐ２Ｐ）  Ｔｅｃｈｎｉｃａｌ  Ｓｐｅｃｉｆｉｃａｔｉｏｎ  Ｖｅｒｓｉｏｎ１．１」、Ｗｉ−Ｆｉ  Ａｌｌｉａｎｃｅ、２０１０年
【発明の概要】
【発明が解決しようとする課題】
【０００４】
Ｇ／Ｏ機器は、複数個のクライアント機器の間の対象データの無線通信を中継するため、Ｇ／Ｏ機器でない機器と比べ、処理負荷が高くなる。本明細書では、無線ネットワークの親局の負荷を軽減し得る技術を提供する。
【課題を解決するための手段】
【０００５】
本明細書によって開示される技術の一つの形態は、第１の通信装置である。第１の通信装置は、設定部と、参加部と、プロファイル送信部と、解除部と、を備える。設定部は、第１の無線ネットワークを利用して第２の通信装置と無線通信するための第１の無線通信設定を実行する。第１の無線ネットワークでは、第１及び第２の通信装置のうちの一方が親局として動作し、他方が子局として動作する。参加部は、特定のアクセスポイントによって形成されている第２の無線ネットワークに参加する。プロファイル送信部は、第１及び第２の通信装置の両方が第１の無線ネットワークに所属している状態で、第１の通信装置が第２の無線ネットワークに参加する場合に、第１の無線ネットワークを利用して、特定の無線プロファイルを第２の通信装置に送信する。特定の無線プロファイルは、特定のアクセスポイントを特定するための無線プロファイルである。解除部は、特定の無線プロファイルが第２の通信装置に送信された後に、第１の無線通信設定を解除する。この結果、第２の通信装置は、特定の無線プロファイルを利用して、第２の無線ネットワークに参加し得る。上記構成によると、第１の無線通信設定を解除するため、第１の無線ネットワークの親局の負荷が軽減される。
【０００６】
本明細書によって開示される技術の一つの形態は、第２の通信装置である。第２の通信装置は、設定部と、プロファイル受信部と、参加部と、解除部と、を備える。設定部は、第１の無線ネットワークを利用して第１の通信装置と無線通信するための第１の無線通信設定を実行する。第１の無線ネットワークでは、第１及び第２の通信装置のうちの一方が親局として動作し、他方が子局として動作する。プロファイル受信部は、第１及び第２の通信装置の両方が第１の無線ネットワークに所属している状態で、第１の通信装置が、特定のアクセスポイントによって形成されている第２の無線ネットワークに参加する場合に、第１の無線ネットワークを利用して、第１の通信装置から特定の無線プロファイルを受信する。特定の無線プロファイルは、特定のアクセスポイントを特定するための無線プロファイルである。参加部は、特定の無線プロファイルを利用して、第２の無線ネットワークに参加する。解除部は、第１の通信装置から特定の無線プロファイルが受信された後に、第１の無線通信設定を解除する。この結果、第２の通信装置は、特定の無線プロファイルを利用して、第２の無線ネットワークに参加する。上記構成によると、第１の無線通信設定を解除するため、第１の無線ネットワークの親局の負荷が軽減される。
【０００７】
なお、上記の第１及び第２通信装置を実現するための制御方法、コンピュータプログラム、及び、当該コンピュータプログラムを格納するコンピュータ読取可能記録媒体も、新規で有用である。また、上記の第１及び第２の通信装置を含む通信システムも、新規で有用である。
【図面の簡単な説明】
【０００８】
【図１】通信システムの構成を示す。
【図２】ケースＡのシーケンス図を示す。
【図３】図２の続きのシーケンス図を示す。
【図４】ケースＢのシーケンス図を示す。
【図５】ケースＣのシーケンス図を示す。
【図６】図５の続きのシーケンス図を示す。
【発明を実施するための形態】
【０００９】
（通信システム２の構成；図１）
図１に示すように、通信システム２は、多機能機（以下では「ＭＦＰ（Multi-Function Peripheralの略）」と呼ぶ）１０と、複数個の携帯端末５０、８０、９０と、ＡＰ（Access Pointの略）１００と、を備える。通信システム２において、ＭＦＰ１０がＧ／Ｏ機器であり、携帯端末５０、８０、９０がＣＬ機器であるＷＦＤＮＷが形成されている。Ｇ／Ｏ機器、ＣＬ機器、ＷＦＤＮＷについては後で説明する。
【００１０】
（ＭＦＰ１０の構成）
ＭＦＰ１０は、印刷機能、スキャン機能等の多機能を実行可能な周辺機器である。ＭＦＰ１０は、操作部１２と、表示部１４と、無線ＬＡＮ（Local Area Networkの略）インターフェース１６と、印刷実行部１８と、スキャン実行部２０と、制御部３０と、を備える。各部１２〜３０は、バス線（符号省略）に接続されている。以下では、インターフェースのことを「Ｉ／Ｆ」と呼ぶ。
【００１１】
操作部１２は、複数のキーを備える。ユーザは、操作部１２を操作することによって、様々な指示をＭＦＰ１０に入力することができる。表示部１４は、様々な情報を表示するためのディスプレイである。印刷実行部１８は、インクジェット方式、レーザ方式等の印刷機構である。スキャン実行部２０は、ＣＣＤ、ＣＩＳ等のスキャン機構である。
【００１２】
無線ＬＡＮＩ／Ｆ１６は、無線通信を実行するためのインターフェースであり、物理的には１個のインターフェース（即ち１個のＩＣチップ）である。ただし、無線ＬＡＮＩ／Ｆ１６には、ＷＦＤ（Wi-Fi Direct（登録商標）の略）方式に従ったＷＦＤ通信に利用されるＭＡＣアドレス（以下では「ＭＡＣ１０ａ」と呼ぶ）と、Ｗｉ−Ｆｉ（登録商標）方式に従った通常Ｗｉ−Ｆｉ通信に利用されるＭＡＣアドレス（以下では「ＭＡＣ１０ｂ」と呼ぶ）と、が予め割り当てられている。従って、制御部３０は、ＭＡＣ１０ａとＭＡＣ１０ｂとを利用して、ＷＦＤ通信と通常Ｗｉ−Ｆｉ通信との両方を同時的に実行し得る。以下では、上述の「Ｗｉ−Ｆｉ方式」のことを「通常Ｗｉ−Ｆｉ方式」と呼ぶ。
【００１３】
制御部３０は、ＣＰＵ３２と、メモリ３４と、を備える。ＣＰＵ３２は、メモリ３４に記憶されているプログラム３６に従って、様々な処理を実行するプロセッサである。メモリ３４は、揮発性領域、不揮発性領域等によって構成されており、プログラム３６のみならず、様々な情報３８、４０、１１０を記憶することができる。
【００１４】
自動切替機能情報３８は、ユーザによって指定されるＯＮ又はＯＦＦを示す情報である。ＣＰＵ３２は、自動切替機能情報３８がＯＮを示す場合であり、かつ自機がＷＦＤＮＷにおいてＧ／Ｏ機器として所属している場合には、ＡＰ１００によって形成されている無線ネットワークに、他の機器を自動的に参加させる処理を実行する。ＣＰＵ３２は、自動切替機能情報３８がＯＦＦを示す場合には、当該処理を実行しない。以下では、自動切替機能情報３８がＯＮを示す状態、ＯＦＦを示す状態を、それぞれ、「自動切替機能がＯＮされている」、「自動切替機能がＯＦＦされている」と呼ぶことがある。
【００１５】
ＷＦＤ関連情報４０は、各携帯端末５０、８０、９０とＷＦＤ通信を実行するために必要な各種情報である。ＷＦＤ関連情報４０は、ＷＦＤ無線プロファイルＰ１、及び、管理リスト４３を含む。ＷＦＤ無線プロファイルＰ１は、ＷＦＤ通信を実行するための無線ネットワークで利用される無線プロファイルであり、ＳＳＩＤ、認証方式、暗号化方式、及び、パスワードを含む。管理リスト４３は、自機がＧ／Ｏ機器として動作しているＷＦＤＮＷにおけるＣＬ機器である携帯端末５０、８０、９０のそれぞれについて、当該携帯端末のＭＡＣアドレス（即ち、ＭＡＣ５０ａ、ＭＡＣ８０ａ、ＭＡＣ９０ａ）を含む。
【００１６】
通常Ｗｉ−Ｆｉ関連情報１１０は、ＡＰ１００を利用して通常Ｗｉ−Ｆｉ通信を実行するために必要な各種情報である。通常Ｗｉ−Ｆｉ関連情報１１０は、通常Ｗｉ−Ｆｉ無線プロファイルＰ２、及び、管理リスト１１３を含む。通常Ｗｉ−Ｆｉ無線プロファイルＰ２は、通常Ｗｉ−Ｆｉ通信を実行するための無線ネットワークで利用される無線プロファイルであり、ＳＳＩＤ、認証方式、暗号化方式、及び、パスワードを含む。管理リスト１１３は、ＡＰ１００のＭＡＣアドレス（即ち、ＭＡＣ１００）を含む。なお、ＭＦＰ１０がＡＰ１１０と通常Ｗｉ−Ｆｉ接続を確立させると、通常Ｗｉ−Ｆｉ関連情報１１０が、メモリ３４に記憶される。
【００１７】
（携帯端末５０、８０、９０の構成）
携帯端末５０は、例えば、携帯電話（例えばスマートフォン）、ＰＤＡ、ノートＰＣ、タブレットＰＣ、携帯型音楽再生装置、携帯型動画再生装置等の可搬型の端末である。携帯端末５０は、無線ＬＡＮＩ／Ｆ５２と、操作部５４と、表示部５６と、制御部６０と、を備える。各部５２〜６０は、バス線（符号省略）に接続されている。なお、変形例では、ＭＦＰ１０と無線通信を実行する装置は、可搬型の携帯端末５０でなくてもよく、据置型の端末装置であってもよい。
【００１８】
無線ＬＡＮＩ／Ｆ５２は、上記のＭＦＰ１０の無線ＬＡＮＩ／Ｆ１６と同様のインターフェースである。即ち、無線ＬＡＮＩ／Ｆ５２には、ＷＦＤ通信に利用されるＭＡＣアドレス（以下では「ＭＡＣ５０ａ」と呼ぶ）と、通常Ｗｉ−Ｆｉ通信に利用されるＭＡＣアドレス（以下では「ＭＡＣ５０ｂ」と呼ぶ）と、が予め割り当てられている。操作部５４は、複数のキーを備える。表示部５６は、様々な情報を表示するためのディスプレイである。変形例では、携帯端末５０は、操作部５４と表示部５６の両方の機能を有するタッチパネルを備えていてもよい。
【００１９】
制御部６０は、ＣＰＵ６２とメモリ６４とを備える。ＣＰＵ６２は、メモリ６４に記憶されているプログラム６６に従って、様々な処理を実行する。メモリ６４は、揮発性領域、不揮発性領域等によって構成されており、プログラム６６のみならず、様々な情報６８、７０を記憶することができる。
【００２０】
自動切替機能情報６８は、上記のＭＦＰ１０の自動切替機能情報３８と同様の情報であり、ユーザによって指定されるＯＮ又はＯＦＦを示す情報である。ＣＰＵ６２は、自動切替機能情報６８がＯＮを示す場合であって、かつ自機がＷＦＤＮＷのＣＬ機器として動作している場合には、ＭＦＰ１０から通常Ｗｉ−Ｆｉ無線プロファイルＰ２を受信して、ＡＰ１００によって形成されている無線ネットワークに自動的に参加するための処理を実行する。
【００２１】
ＷＦＤ関連情報７０は、ＭＦＰ１０とＷＦＤ通信を実行するために必要な各種情報である。ＷＦＤ関連情報７０は、ＷＦＤ無線プロファイルＰ１、及び、管理リスト７３を含む。ＷＦＤ無線プロファイルＰ１は、ＭＦＰ１０に記憶されているＷＦＤ無線プロファイルＰ１と同じものである。管理リスト７３は、Ｇ／Ｏ機器であるＭＦＰ１０のＭＡＣアドレス（即ち、ＭＡＣ１０ａ）を含む。ＷＦＤ関連情報７０は、携帯端末５０がＭＦＰ１０をＧ／Ｏ機器とするＷＦＤＮＷに所属すると記憶される情報である。
【００２２】
図１の例では、携帯端末５０のメモリ６４は、通常Ｗｉ−Ｆｉ関連情報を記憶していない。ただし、携帯端末５０が、ＡＰ１００によって形成されている無線ネットワークに参加する場合には、メモリ６４は、さらに、通常Ｗｉ−Ｆｉ無線プロファイルＰ２と、ＡＰ１００のＭＡＣアドレス（即ちＭＡＣ１００）と、を含む通常Ｗｉ−Ｆｉ関係情報を記憶する。
【００２３】
携帯端末８０、９０は、携帯端末５０と同様の構成を備える。従って、携帯端末８０には、ＷＦＤ通信に利用されるＭＡＣアドレス（以下では「ＭＡＣ８０ａ」と呼ぶ）と、通常Ｗｉ−Ｆｉ通信に利用されるＭＡＣアドレス（以下では「ＭＡＣ８０ｂ」と呼ぶ）と、が予め割り当てられている。また、携帯端末９０には、ＷＦＤ通信に利用されるＭＡＣアドレス（以下では「ＭＡＣ９０ａ」と呼ぶ）と、通常Ｗｉ−Ｆｉ通信に利用されるＭＡＣアドレス（以下では「ＭＡＣ９０ｂ」と呼ぶ）と、が予め割り当てられている。
【００２４】
（ＡＰ１００の構成）
ＡＰ１００は、無線アクセスポイント、無線ＬＡＮルータ等と呼ばれる通常のＡＰであり、ＷＦＤ方式のＧ／Ｏ機器とは異なる。ＡＰ１００は、通常Ｗｉ−Ｆｉ方式に従った無線ネットワーク（即ち通常Ｗｉ−ＦｉＮＷ）を形成することができる。ＡＰ１００は、管理リスト１０２を記憶する。管理リスト１０２は、ＭＦＰ１０のＭＡＣアドレス（即ち、ＭＡＣ１０ｂ）を含む。
【００２５】
（ＷＦＤ方式と通常Ｗｉ−Ｆｉ方式）
続いて、ＷＦＤ方式と通常Ｗｉ−Ｆｉ方式について詳しく説明する。上述したように、ＭＡＣアドレスという観点では、ＷＦＤ通信、ＷＦＤ方式は、それぞれ、ＷＦＤ通信に利用されるＭＡＣアドレス（上記のＭＡＣ１０ａ、ＭＡＣ５０ａ等。以下では「ＷＦＤＭＡＣ」と呼ぶことがある）が利用される無線通信、無線通信方式である。また、通常Ｗｉ−Ｆｉ通信、通常Ｗｉ−Ｆｉ方式は、それぞれ、通常Ｗｉ−Ｆｉ通信に利用されるＭＡＣアドレス（上記のＭＡＣ１００、ＭＡＣ１０ｂ等。以下では「通常Ｗｉ−ＦｉＭＡＣ」と呼ぶことがある）が利用される無線通信、無線通信方式である。
【００２６】
（ＷＦＤ方式）
ＷＦＤ方式は、Ｗｉ−Ｆｉ  Ａｌｌｉａｎｃｅによって作成された規格書「Ｗｉ−Ｆｉ  Ｐｅｅｒ−ｔｏ−Ｐｅｅｒ（Ｐ２Ｐ）  Ｔｅｃｈｎｉｃａｌ  Ｓｐｅｃｉｆｉｃａｔｉｏｎ  Ｖｅｒｓｉｏｎ１．１」に記述されている無線通信方式である。ＷＦＤ方式は、例えば、ＩＥＥＥ（The Institute of Electrical and Electronics Engineers, Inc.の略）の８０２．１１の規格、及び、それに準ずる規格（例えば、８０２．１１ａ，１１ｂ，１１ｇ，１１ｎ等）に従って、無線通信を実行するための無線通信方式である。
【００２７】
以下では、ＭＦＰ１０、携帯端末５０、８０、９０のように、ＷＦＤ方式に従ったＷＦＤ通信を実行可能な機器のことを、「ＷＦＤ機器」と呼ぶ。上記のＷＦＤの規格書では、ＷＦＤ機器の状態として、Ｇｒｏｕｐ  Ｏｗｎｅｒ状態（以下では「Ｇ／Ｏ状態」と呼ぶ）、クライアント状態（以下では「ＣＬ状態」と呼ぶ）、及び、デバイス状態の３つの状態が定義されている。ＷＦＤ機器は、上記の３つの状態のうちの１つの状態で選択的に動作可能である。
【００２８】
デバイス状態の一対のＷＦＤ機器が無線ネットワークを新たに形成すべき際に、当該一対のＷＦＤ機器のうちの一方は、Ｇ／Ｏ状態（即ちＧ／Ｏ機器）になることを決定し、他方は、ＣＬ状態（即ちＣＬ機器）になることを決定する。その後、当該一対のＷＦＤ機器は、それぞれ、相手のＷＦＤ機器のＷＦＤＭＡＣ（例えばＭＡＣ５０ａ等）を管理リスト内に登録する。以下では、他のＷＦＤ機器との間でＷＦＤ接続が確立するための設定を行うことを「ＷＦＤ通信設定を実行する」と呼ぶことがある。ＷＦＤ通信設定が実行されると、当該一対のＷＦＤ機器の間でＷＦＤ接続が確立する。ＷＦＤ接続が確立されると、一対のＷＦＤ機器が所属する無線ネットワーク（即ちＷＦＤＮＷ）が形成される。
【００２９】
以下では、ＷＦＤ方式の手順に従って形成される無線ネットワークのことを、「ＷＦＤＮＷ」と呼ぶ。一対のＷＦＤ機器の間にＷＦＤ接続が確立された段階では、１個のＧ／Ｏ機器及び１個のＣＬ機器のみがＷＦＤＮＷに所属している。ただし、Ｇ／Ｏ機器は、他の機器のためにＷＦＤ通信設定を実行して、当該他の機器とＷＦＤ接続を確立することができる。これにより、Ｇ／Ｏ機器は、当該他の機器をＣＬ機器としてＷＦＤＮＷに新たに参加させることができる。この場合、２個以上のＣＬ機器がＷＦＤＮＷに所属している状態になる。即ち、ＷＦＤＮＷでは、１個のＧ／Ｏ機器と１個以上のＣＬ機器とが存在し得る。なお、既存のＷＦＤＮＷに参加するＣＬ機器は、Ｇ／Ｏ機器のＭＡＣアドレス及びＩＰアドレスを、当該ＣＬ機器のメモリ内の管理リストに登録する。
【００３０】
また、Ｇ／Ｏ機器は、ＣＬ機器がＷＦＤＮＷから離脱すると、ＣＬ機器のＭＡＣアドレス及びＩＰアドレスをＧ／Ｏ機器内の管理リストから削除する。この場合、ＣＬ機器も、Ｇ／Ｏ機器のＭＡＣアドレス及びＩＰアドレスをＣＬ機器内の管理リストから削除する。また、Ｇ／Ｏ機器は、ＣＬ機器をＷＦＤＮＷから離脱させることができる。ＣＬ機器は、Ｇ／Ｏ機器からＷＦＤＮＷから離脱させるためのコマンド（Deauthentication信号）を受信すると、Ｇ／Ｏ機器にＷＦＤＮＷから離脱することを通知するコマンド（Deassotiation信号）を返信し、ＣＬ状態からデバイス状態に移行することでＷＦＤＮＷから離脱する。Ｇ／Ｏ機器は、管理リストに記憶されているＣＬ機器がすべて離脱すると、Ｇ／Ｏ状態からデバイス状態に移行する。以下では、他のＷＦＤ機器との間でＷＦＤ通信が行えない状態に移行することを、「ＷＦＤ通信設定を解除する」と呼ぶことがある。
【００３１】
Ｇ／Ｏ機器は、他の機器を介さずに、管理リストに登録されているＣＬ機器と対象データの無線通信を実行可能である。対象データは、ＯＳＩ参照モデルのネットワーク層の情報、及び、ネットワーク層よりも上位層（例えばアプリケーション層）の情報を含むデータであり、例えば、印刷データ、スキャンデータ等を含む。また、Ｇ／Ｏ機器は、一対のＣＬ機器の間の対象データの無線通信を中継可能である。換言すると、一対のＣＬ機器は、Ｇ／Ｏ機器を介して、対象データの無線通信を実行可能である。
【００３２】
（通常Ｗｉ−Ｆｉ方式）
通常Ｗｉ−Ｆｉ方式は、Ｗｉ−Ｆｉ  Ａｌｌｉａｎｃｅによって定められた無線通信方式であって、ＷＦＤ方式とは異なる無線通信方式である。通常Ｗｉ−Ｆｉ方式は、ＷＦＤ方式と同様に、ＩＥＥＥの８０２．１１の規格、及び、それに準ずる規格（例えば、８０２．１１ａ，１１ｂ，１１ｇ，１１ｎ等）に従って、無線通信を実行するための無線通信方式である。
【００３３】
以下では、ＭＦＰ１０、携帯端末５０、８０、９０のように、通常Ｗｉ−Ｆｉ方式に従った通常Ｗｉ−Ｆｉ通信を実行可能な機器のことを、「通常Ｗｉ−Ｆｉ機器」と呼ぶ。通常Ｗｉ−Ｆｉ機器は、通常Ｗｉ−Ｆｉ方式の接続用データの無線通信をＡＰ（例えばＡＰ１００）と実行することによって、ＡＰと通常Ｗｉ−Ｆｉ接続を確立する。これにより、通常Ｗｉ−Ｆｉ機器は、ＡＰによって形成されている無線ネットワーク（即ち通常Ｗｉ−ＦｉＮＷ）に参加することができる。通常Ｗｉ−Ｆｉ機器は、通常Ｗｉ−ＦｉＮＷに所属している他の機器と、ＡＰを介して、対象データの無線通信を実行することができる。
【００３４】
（各デバイスが実行する処理の例；図２〜図５）
続いて、各デバイス１０、５０、８０、９０、１００が実行する処理の具体例についてケース毎に説明する。
【００３５】
（ケースＡ；図２、図３）
ケースＡでは、ＭＦＰ１０がＧ／Ｏ機器であり、かつ、携帯端末５０、８０、９０がＣＬ機器であるＷＦＤＮＷが形成されている状況において、ＭＦＰ１０とＡＰ１００との間で通常Ｗｉ−Ｆｉ接続が確立される。ＭＦＰ１０、携帯端末５０、８０の自動切替機能はＯＮされている。携帯端末９０の自動切替機能はＯＦＦされている。
【００３６】
Ｔ２０では、ＭＦＰ１０のユーザは、操作部１２を操作して、ＭＦＰ１０とＡＰ１００との間に通常Ｗｉ−Ｆｉ接続を確立するための所定の接続操作を入力する。なお、所定の接続操作とは、通常Ｗｉ−Ｆｉ接続を確立するために必要なあらかじめ決められた操作である。
【００３７】
Ｔ２０で接続操作が入力されると、ＭＦＰ１０のＣＰＵ３２とＡＰ１００のＣＰＵは、通常Ｗｉ−Ｆｉ方式に従って、通常Ｗｉ−Ｆｉ接続を確立させる。具体的には、Ｔ２２では、ＭＦＰ１０のＣＰＵ３２は、ＭＦＰ１０の周辺に存在する複数の周辺装置に対して、ＭＡＣ１０ｂを含むProbe Request信号を送信する。
【００３８】
ＭＦＰ１０の周辺に存在する複数の周辺装置（例えばＡＰ１００等）は、それぞれ、Probe Request信号を受信する。複数の周辺装置のうち、現在、ＡＰとして動作している１個以上の周辺装置は、それぞれ、自機のＳＳＩＤと通常Ｗｉ−ＦｉＭＡＣを含むProbe Response信号をＭＦＰ１０に送信する。この際、現在ＷＦＤＮＷのＧ／Ｏ機器として動作している周辺装置が送信するProbe Response信号には、自機のＳＳＩＤと通常Ｗｉ−ＦｉＭＡＣに加えて、Ｇ／Ｏ機器として動作していることを示すＰ２Ｐ（Peer To Peerの略）情報が含まれる。一方、現在通常Ｗｉ−ＦｉＮＷのＡＰとして動作している周辺装置（即ち、ＷＦＤＮＷのＧ／Ｏ機器ではない周辺装置）が送信するProbe Response信号には、上記のＰ２Ｐ情報は含まれていない。ＡＰ１００のＣＰＵは、Ｔ２４では、ＡＰ１００のＳＳＩＤとＭＡＣ１００とを含むProbe Response信号をＭＦＰ１０に送信する。ＡＰ１００のＣＰＵが送信するProbe Response信号には、上記のＰ２Ｐ情報は含まれていない。
【００３９】
Ｔ２６では、ＭＦＰ１０のＣＰＵ３２は、現在ＡＰとして動作している１個以上の周辺装置から受信したProbe Response信号が、Ｐ２Ｐ情報を含んでいないか否かを判断する。次いで、Ｔ２８では、ＣＰＵ３２は、Ｐ２Ｐ情報を含んでいない１個以上のProbe Response信号に含まれているＳＳＩＤを抽出してリストを作成し、リストに従ってリスト画面を表示部１４に表示させる。リスト画面には、通常Ｗｉ−ＦｉＮＷのＡＰとして動作している周辺装置（即ち、ＷＦＤＮＷのＧ／Ｏ機器ではない周辺装置）のＳＳＩＤのリストが表示される。リスト画面に表示されているＳＳＩＤのリストには、ＡＰ１００のＳＳＩＤも含まれている。
【００４０】
Ｔ３０では、ＭＦＰ１０のユーザは、操作部１２を操作して、リスト画面に表示されているＳＳＩＤの中から、ＡＰ１００のＳＳＩＤを選択する。
【００４１】
ＡＰ１００のＳＳＩＤが選択されると、Ｔ３２において、ＭＦＰ１０のＣＰＵ３２は、ＡＰ１００との間で通常Ｗｉ−Ｆｉ接続を確立するためのProbe Request信号を、ＡＰ１００に送信する。次いで、Ｔ３４において、ＣＰＵ３２は、通常Ｗｉ−Ｆｉ方式の接続用データの無線通信をＡＰ１００と実行して、ＡＰ１００との通常Ｗｉ−Ｆｉ接続を確立する。
【００４２】
Ｔ３４では、ＭＦＰ１０のＣＰＵ３２は、通常Ｗｉ−ＦｉＮＷで現在利用されている通常Ｗｉ−Ｆｉ無線プロファイル（即ち、ＡＰ１００のＳＳＩＤ、認証方式、暗号化方式、及び、パスワード）を、ＡＰ１００から受信する。そして、ＣＰＵ３２は、受信した通常Ｗｉ−Ｆｉ無線プロファイルを、メモリ３４の通常Ｗｉ−Ｆｉ関係情報１１０内に記憶させる（図１の通常Ｗｉ−Ｆｉ無線プロファイルＰ２参照）。
【００４３】
ＡＰ１００のＣＰＵは、Ｔ３６において、Ｔ２２で受信されたProbe Request信号に含まれるＭＡＣ１０ｂを管理リスト１０２に登録する。
【００４４】
ＭＦＰ１０のＣＰＵ３２は、Ｔ３８において、Ｔ２４で受信されたProbe Response信号に含まれるＭＡＣ１００（図１参照）を管理リスト１１３に登録する。この結果、ＭＦＰ１０とＡＰ１００の間に通常Ｗｉ−Ｆｉ接続が確立し、ＭＦＰ１０は、ＡＰ１００が形成する通常Ｗｉ−ＦｉＮＷに参加する。即ち、ＭＦＰ１０のＣＰＵ３２と、ＡＰ１００のＣＰＵが、Ｔ３２〜Ｔ３８の各処理（即ち、通常Ｗｉ−Ｆｉ通信設定）を行った結果、ＭＦＰ１０とＡＰ１００との間で通常Ｗｉ−Ｆｉ接続が確立される。
【００４５】
次いで、Ｔ４０では、ＭＦＰ１０のＣＰＵ３２は、通常Ｗｉ−ＦｉＮＷを利用してＰｉｎｇをＡＰ１００に送信する。Ｔ４２では、ＣＰＵ３２は、ＯＫ信号を受信する。これにより、ＣＰＵ３２は、ＡＰ１００との間で通常Ｗｉ−Ｆｉ接続が確立していることを確認することができる。
【００４６】
次いで、ＭＦＰ１０のＣＰＵ３２は、ＷＦＤ関連情報４０に含まれる参加リストに登録された携帯端末５０、８０、９０に対し、所定の確認信号をそれぞれ送信する（Ｔ４４、図３のＴ８０、Ｔ１０４）。Ｔ４４では、ＭＦＰ１０のＣＰＵ３２は、ＷＦＤＮＷを利用して、所定の確認信号を携帯端末５０に送信する。
【００４７】
上記の通り、携帯端末５０の自動切替機能はＯＮされている。そのため、Ｔ４６において、携帯端末５０のＣＰＵ６２は、ユーザに対して、所属するネットワークをＷＦＤＮＷから通常Ｗｉ−ＦｉＮＷに切り替えるか否かを確認するための確認画面（図示省略）を表示部５６に表示させる。Ｔ４８では、携帯端末５０のユーザによって、所属するネットワークを切り替える旨の情報（即ち、ＯＫ）が入力される。次いで、Ｔ５０では、ＣＰＵ６２は、ＷＦＤＮＷを利用してＯＫ信号をＭＦＰ１０に送信する。なお、図２では示していないが、携帯端末５０のユーザによって、所属するネットワークを切り替えない旨の情報（即ち、ＮＧ）が入力される場合には、ＣＰＵ６２は、ＷＦＤＮＷを利用してＮＧ信号をＭＦＰ１０に送信する。
【００４８】
ＭＦＰ１０のＣＰＵ３２は、携帯端末５０からＯＫを受信する。Ｔ５２では、ＭＦＰ１０のＣＰＵ３２は、ＷＦＤＮＷを利用して、メモリ３４の通常Ｗｉ−Ｆｉ関係情報１１０内に記憶されている通常Ｗｉ−Ｆｉ無線プロファイルＰ２を携帯端末５０に送信する。続くＴ５４では、ＣＰＵ３２は、ＯＫ信号を受信する。
【００４９】
次いで、Ｔ５６では、ＭＦＰ１０のＣＰＵ３２は、ＷＦＤＮＷを利用して、Deauthentication信号を携帯端末５０に送信する。
【００５０】
続くＴ５８では、携帯端末５０のＣＰＵ６２は、ＷＦＤＮＷを利用して、Disassociation信号をＭＦＰ１０に送信する。
【００５１】
ＭＦＰ１０のＣＰＵ３２は、Disassociation信号を受信すると、Ｔ６０において、管理リスト４３から、ＭＡＣ５０ａ（図１参照）を削除する。
【００５２】
また、携帯端末５０のＣＰＵ６２は、Disassociation信号を送信すると、Ｔ６２において、管理リスト７３から、ＭＡＣ１０ａ（図１参照）を削除する。次いで、Ｔ６４では、ＣＰＵ６２は、ＣＬ状態からデバイス状態に移行する。ＭＦＰ１０のＣＰＵ３２と携帯端末５０のＣＰＵ６２がそれぞれＷＦＤ通信設定を解除することにより、ＭＦＰ１０と携帯端末５０の間のＷＦＤ接続が切断される。この結果、携帯端末５０は、ＭＦＰ１０が形成するＷＦＤＮＷから離脱する。上記の通り、ＭＦＰ１０のＣＰＵ３２と携帯端末５０のＣＰＵ６２とが、Ｔ５６〜Ｔ６４の各処理（即ち、ＷＦＤ通信設定解除）を行うことにより、ＭＦＰ１０と携帯端末５０との間のＷＦＤ接続が切断される。ＣＬ機器である携帯端末５０がＷＦＤＮＷから離脱したことにより、Ｇ／Ｏ機器として動作するＭＦＰ１０のＣＰＵ３２の処理負荷は軽減される。
【００５３】
次いで、図３のＴ８０では、ＭＦＰ１０のＣＰＵ３２は、ＷＦＤＮＷを利用して、確認信号を携帯端末８０に送信する。なお、Ｔ８０〜Ｔ１００の各処理は、図２のＴ４４〜Ｔ６４の各処理と同様であるため説明を省略する。
【００５４】
次いで、図３のＴ１０４では、ＭＦＰ１０のＣＰＵ３２は、ＷＦＤＮＷを利用して、確認信号を携帯端末９０に送信する。
【００５５】
上記の通り、携帯端末９０の自動切替機能はＯＦＦされている。そのため、Ｔ１０６では、携帯端末９０のＣＰＵは、確認画面を表示させることなく、ＷＦＤＮＷを利用して、ＮＧ信号をＭＦＰ１０に送信する。
【００５６】
携帯端末９０からＮＧ信号を受信した場合、ＭＦＰ１０のＣＰＵ３２は、携帯端末９０に対して通常Ｗｉ−Ｆｉ無線プロファイルＰ２を送信しない。従って、ＭＦＰ１０と携帯端末９０の間では、ＷＦＤ接続が維持される（即ち、ＭＦＰ１０と携帯端末９０の間では、ＷＦＤ通信設定が維持される）。携帯端末９０は、引き続きＷＦＤＮＷのＣＬ機器として動作する。
【００５７】
次いで、携帯端末５０のＣＰＵ６２は、Ｔ１０８において、図２のＴ５２で受信した通常Ｗｉ−Ｆｉ無線プロファイルＰ２に含まれるＡＰ１００のＳＳＩＤを送信先として、ＡＰ１００との間で通常Ｗｉ−Ｆｉ接続を確立するためのProbe Request信号を、ＡＰ１００に送信する。このProbe Request信号には、ＭＡＣ５０ｂが含まれる。
【００５８】
次いで、Ｔ１１０において、携帯端末５０のＣＰＵ６２は、受信された通常Ｗｉ−Ｆｉ無線プロファイルＰ２を用いて、通常Ｗｉ−Ｆｉ方式の接続用データの無線通信をＡＰ１００と実行して、ＡＰ１００との通常Ｗｉ−Ｆｉ接続を確立する。
【００５９】
Ｔ１１２では、ＡＰ１００は、Ｔ１０８で受信されたProbe Request信号に含まれるＭＡＣ５０ｂを管理リスト１０２に登録する。
【００６０】
Ｔ１１４では、携帯端末５０のＣＰＵ６２は、Ｔ１１０で受信されたProbe Response信号に含まれるＭＡＣ１００を管理リストに登録する。この結果、携帯端末５０とＡＰ１００の間に通常Ｗｉ−Ｆｉ接続が確立し、携帯端末５０は、ＡＰ１００が形成する通常Ｗｉ−ＦｉＮＷに参加する。言い換えると、携帯端末５０のＣＰＵ６２と、ＡＰ１００のＣＰＵが通常Ｗｉ−Ｆｉ通信設定を行うことにより（Ｔ１０８〜Ｔ１１４）、携帯端末５０とＡＰ１００との間で通常Ｗｉ−Ｆｉ接続が確立される。
【００６１】
また、Ｔ１１６〜Ｔ１２２の各処理を実行することで、携帯端末８０も、ＡＰ１００が形成する通常Ｗｉ−ＦｉＮＷに参加する。なお、Ｔ１１６〜Ｔ１２２の各処理は、Ｔ１０８〜Ｔ１１４の各処理と同様のため、詳しい説明を省略する。
【００６２】
なお、図３の例では、携帯端末９０とＡＰ１００との間には、通常Ｗｉ−Ｆｉ接続が確立されない。
【００６３】
（作用効果）
ケースＡでは、ＭＦＰ１０は、ＷＦＤ無線通信設定を実行し、携帯端末５０との間でＷＦＤ接続を確立する。即ち、Ｇ／Ｏ機器であるＭＦＰ１０とＣＬ機器である携帯端末５０がＷＦＤＮＷに所属する状態が形成される。ＭＦＰ１０は、その後、ＡＰ１００が形成する通常Ｗｉ−ＦｉＮＷに参加する場合に、ＷＦＤＮＷを利用して、通常Ｗｉ−ＦｉＮＷで利用されている通常Ｗｉ−Ｆｉ無線プロファイルを携帯端末５０に送信する。ＭＦＰ１０は、その後、ＷＦＤ通信設定を解除（即ち、携帯端末５０とのＷＦＤ接続を切断）する。携帯端末５０は、ＭＦＰ１０から受信した通常Ｗｉ−Ｆｉ無線プロファイルを利用して、ＡＰ１００が形成する通常Ｗｉ−ＦｉＮＷに参加することができる（図３のＴ１１０参照）。
【００６４】
たとえば、通信システム２が、ＭＦＰ１０と携帯端末５０のみを含んでいる場合を想定する。この場合、ＭＦＰ１０をＧ／Ｏ機器として動作しても、ＭＦＰ１０に対する処理負荷がそれほど高いものではない。その後、通信システム２において、ＷＦＤＮＷに参加する端末（例えば、携帯端末８０、９０等）が増えると、Ｇ／Ｏ機器として動作するＭＦＰ１０の処理負荷が高くなる。このとき、管理者は、通信システム２内に、新たにＡＰ１００を導入し、ＭＦＰ１０とＡＰ１００との間の通常Ｗｉ−Ｆｉ接続を確立させる。管理者が、通信システム２における他の端末（携帯端末５０、８０等）に対し、通常Ｗｉ−Ｆｉ接続を確立させる動作を行わなくても、自動でＡＰ１００との通常Ｗｉ−Ｆｉ接続を確立させることができる。ＷＦＤＮＷに所属するＣＬ機器の数が減ることで、Ｇ／Ｏ機器としてのＭＦＰ１０の処理負荷を軽減させることができる。また、この通信システム２におけるユーザは、特に意識することなく、今まで通信が可能であった端末間の無線通信をそのまま利用できる。
【００６５】
また、ＭＦＰ１０は、ユーザの指示に従って、ＡＰ１００が形成する通常Ｗｉ−ＦｉＮＷに参加することができる。このとき、ＭＦＰ１０は、Ｐ２Ｐ情報を含んでいないProbe Response信号に含まれているＳＳＩＤを抽出して作成したリストを表示する（図２のＴ２８）。即ち、リスト内には、ＷＦＤＮＷのＧ／Ｏ機器として動作する周辺装置のＳＳＩＤは含まれていない。そのため、ＭＦＰ１０が、Ｇ／Ｏ機器として動作する周辺装置が形成するＷＦＤＮＷに、ＣＬ機器として参加してしまうことを防止することができる。
【００６６】
ＭＦＰ１０は、自機がＧ／Ｏ機器として動作し、かつ、自機の自動設定機能がＯＮされていることを前提として、ＷＦＤＮＷを利用してＣＬ機器に通常Ｗｉ−Ｆｉ無線プロファイルを送信することができる（図２のＴ５２、図３のＴ８８）。即ち、ＭＦＰ１０は、メモリ３４内の自動切替機能情報３８に応じて、適切な動作を実行し得る。
【００６７】
ＭＦＰ１０は、ＣＬ機器に確認信号を送信し（図２のＴ４４、図３のＴ８０、Ｔ１０４）、ＣＬ機器からＯＫ信号を受信する場合（図２のＴ５０、図３のＴ８６）に、ＣＬ機器に通常Ｗｉ−Ｆｉ無線プロファイルを送信する（図２のＴ５２、図３のＴ８８）。一方、ＭＦＰ１０は、ＣＬ機器からＮＧ信号を受信する場合には（図３のＴ１０６）、ＣＬ機器に通常Ｗｉ−Ｆｉ無線プロファイルを送信しない。即ち、ＭＦＰ１０は、ＣＬ機器からＯＫ信号を受信するか否かに応じて、適切な動作を実行し得る。
【００６８】
例えば、定常的に通信システム２に存在する端末（例えば、ＭＦＰ１０、携帯端末５０、８０）の自動設定機能のみをＯＮさせておくことで、一時的にＷＦＤＮＷに参加する端末（例えば、携帯端末９０）に対しては、自動で通常Ｗｉ−Ｆｉ接続を確立させないようにすることができる。これにより、管理者が意図しない端末までが通常Ｗｉ−ＦｉＮＷに自動的に参加することを防止できる。また、Ｇ／Ｏ機器からDeauthentication信号を送信することで、通常Ｗｉ−ＦｉＮＷに参加可能なＣＬ機器との無線通信設定を容易に解除できる。
【００６９】
なお、ケースＡでは、携帯端末９０の自動設定機能がＯＦＦされているため、ＭＦＰ１０は、Ｇ／Ｏ状態を維持しているが、すべてのＣＬ機器が通常Ｗｉ−Ｆｉ接続を確立可能であれば、ＭＦＰ１０は、Ｇ／Ｏ状態からデバイス状態へ移行する。その場合、ＭＦＰ１０には、Ｇ／Ｏ機器として動作することによる処理負荷がかからなくなる。
【００７０】
（ケースＢ；図４）
ケースＢでは、ＡＰ１００とＭＦＰ１０の間で通常Ｗｉ−Ｆｉ接続がすでに確立されている場合に、ＭＦＰ１０がＧ／Ｏ機器であり、携帯端末５０がＣＬ機器であるＷＦＤ接続が確立される。ケースＢの開始時点では、ＭＦＰ１０は、ＷＦＤＮＷのＧ／Ｏ機器として動作しており、携帯端末５０はデバイス機器として動作している。ＭＦＰ１０と携帯端末５０は、ともに自動切替機能がＯＮされている。なお、ケースＢは、携帯端末８０（図１参照）が存在しない場合を想定している。また、携帯端末９０は、ＷＦＤＮＷのＣＬ機器として動作しているが、図示を省略する。
【００７１】
Ｔ１５０では、携帯端末５０のＣＰＵ６２は、ユーザの指示に従って、ＭＦＰ１０が形成するＷＦＤＮＷに参加することを要求するProbe Request信号を、ＭＦＰ１０に送信する。このProbe Request信号は、ＭＡＣ５０ａを含んでいる。
【００７２】
ＭＦＰ１０のＣＰＵ３２は、携帯端末５０からProbe Request信号を受信すると、Ｔ１５２において、ＷＦＤ方式の接続用データの無線通信を携帯端末５０と実行して、携帯端末５０とのＷＦＤ接続を確立する。
【００７３】
Ｔ１５４では、ＭＦＰ１０のＣＰＵ３２は、Ｔ１５０で受信されたProbe Request信号に含まれるＭＡＣ５０ａを管理リスト４３に登録する。
【００７４】
Ｔ１５６では、携帯端末５０のＣＰＵ６２は、携帯端末５０の状態をデバイス状態からＣＬ状態に移行させる。これにより、携帯端末５０は、ＷＦＤＮＷにＣＬ機器として参加することができる。次いで、Ｔ１５８では、ＣＰＵ６２は、Ｔ１５２で受信されたProbe Response信号に含まれるＭＡＣ１０ａ（図１参照）を管理リスト７３に登録する。
【００７５】
ＭＦＰ１０のＣＰＵ３２と携帯端末５０のＣＰＵ６２とがそれぞれＷＦＤ通信設定（Ｔ１５０〜Ｔ１５８）を実行することにより、ＭＦＰ１０と携帯端末５０の間にＷＦＤ接続が確立する。この結果、携帯端末５０は、ＭＦＰ１０が形成するＷＦＤＮＷに参加する。
【００７６】
Ｔ１６０では、ＭＦＰ１０のＣＰＵ３２は、通常Ｗｉ−ＦｉＮＷを利用してＰｉｎｇをＡＰ１００に送信する。Ｔ１６２では、ＣＰＵ３２は、ＯＫ信号を受信する。ＣＰＵ３２は、ＡＰ１００との間で通常Ｗｉ−Ｆｉ接続が確立していることを確認することができる。次いで、Ｔ１６４では、ＣＰＵ３２は、ＷＦＤＮＷを利用して、確認信号を携帯端末５０に送信する。
【００７７】
ＭＦＰ１０のＣＰＵ３２と携帯端末５０のＣＰＵ６２が実行するＴ１６４〜Ｔ１８４の各処理は、図２のＴ４４〜Ｔ６４の各処理と同様であるため、詳しい説明を省略する。Ｔ１７２では、ＣＰＵ６２は、ＭＦＰ１０から、ＭＦＰ１０のメモリ３４内に記憶されている通常Ｗｉ−Ｆｉ無線プロファイルＰ２を受信する。また、ＣＰＵ３２とＣＰＵ６２がそれぞれＷＦＤ通信設定を解除（Ｔ１７６〜Ｔ１８４）することにより、ＭＦＰ１０と携帯端末５０の間のＷＦＤ接続が切断される。
【００７８】
続いて実行されるＴ１８８〜Ｔ１９４の各処理は、図３のＴ１０８〜Ｔ１１４の各処理と同様であるため、詳しい説明を省略する。携帯端末５０のＣＰＵ６２とＡＰ１００のＣＰＵが、Ｔ１８８〜Ｔ１９４の各処理（即ち、通常Ｗｉ−Ｆｉ通信設定）を行うことにより、携帯端末５０とＡＰ１００との間で通常Ｗｉ−Ｆｉ接続が確立される。携帯端末５０は、ＡＰ１００が形成する通常Ｗｉ−ＦｉＮＷに参加する。
【００７９】
（作用効果）
ケースＢに示されるように、ＭＦＰ１０は、ＡＰ１００が形成する通常Ｗｉ−ＦｉＮＷに参加している。携帯端末５０は、ＷＦＤ無線通信設定を実行し、ＭＦＰ１０との間でＷＦＤ接続を確立する。ＭＦＰ１０は、ＷＦＤＮＷを利用して、携帯端末５０に、通常Ｗｉ−Ｆｉで利用されている通常Ｗｉ−Ｆｉ無線プロファイルを送信する（図４のＴ１７２参照）。その後、ＭＦＰ１０は、ＷＦＤ通信設定を解除する（即ち、携帯端末５０との間のＷＦＤ接続を切断する）。携帯端末５０は、受信した通常Ｗｉ−Ｆｉ無線プロファイルを利用して、ＡＰ１００が形成する通常Ｗｉ−ＦｉＮＷに参加することができる（図４のＴ１９０参照）。本実施例では、新たに、ＷＦＤＮＷに所属してきた携帯端末５０に対しても、ＡＰ１００によって形成されている通常Ｗｉ−ＦｉＮＷに容易に参加させることができる。
【００８０】
（ケースＣ；図５、図６）
ケースＣでは、ＭＦＰ１０がＧ／Ｏ機器であり、かつ、携帯端末５０、８０がＣＬ機器であるＷＦＤＮＷが形成されている状況において、ＣＬ機器である携帯端末５０とＡＰ１００との間で通常Ｗｉ−Ｆｉ接続が確立される。ＭＦＰ１０、携帯端末５０、８０の自動切替機能はいずれもＯＮされている。なお、ケースＣは、携帯端末９０（図１参照）が存在しない場合を想定している。
【００８１】
携帯端末５０のＣＰＵ６２は、ユーザの指示に従ってＡＰ１００のＣＰＵとの間で通常Ｗｉ−Ｆｉ接続を確立する（Ｔ２００〜Ｔ２１８）。Ｔ２００〜Ｔ２１８では、図２のＴ２０〜Ｔ３８の各処理と同様の処理が実行されるため、詳しい説明を省略する。
【００８２】
Ｔ２２０では、携帯端末５０のＣＰＵ６２は、通常Ｗｉ−ＦｉＮＷを利用してＰｉｎｇをＡＰ１００に送信する。Ｔ２２２では、ＣＰＵ６２は、ＯＫ信号を受信する。ＣＰＵ６２は、ＡＰ１００との間で通常Ｗｉ−Ｆｉ接続が確立していることを確認することができる。
【００８３】
次いで、Ｔ２２４では、携帯端末５０のＣＰＵ６２は、ＷＦＤＮＷを利用して、所定の通知信号をＧ／Ｏ機器であるＭＦＰ１０に送信する。所定の通知信号は、ＣＬ機器である携帯端末５０がＡＰ（この例ではＡＰ１００）との間で通常Ｗｉ−Ｆｉ接続を確立したことを示す情報を含む。
【００８４】
次いで、Ｔ２２６では、ＭＦＰ１０のＣＰＵ３２は、ＷＦＤＮＷを利用して、所定のプロファイル要求信号を携帯端末５０に送信する。プロファイル要求信号は、携帯端末５０に通常Ｗｉ−ＦｉＮＷで利用されている通常Ｗｉ−Ｆｉ無線プロファイルの送信を要求する情報を含む。なお、他の例において、ＭＦＰ１０の自動切替機能がＯＦＦされている場合は、Ｔ２２４による通知を受信しても、ＣＰＵ３２は、Ｔ２２６の処理を行わない。その場合、Ｔ２２６以降の各処理も行われない。
【００８５】
次いで、Ｔ２２８では、携帯端末５０のＣＰＵ６２は、メモリ６４に記憶されている通常Ｗｉ−Ｆｉ無線プロファイルをＭＦＰ１０に送信する。
【００８６】
ＭＦＰ１０のＣＰＵ３２は、受信された通常Ｗｉ−Ｆｉ無線プロファイルを、メモリ３４の通常Ｗｉ−Ｆｉ関係情報１１０内に記憶させる（図１の通常Ｗｉ−Ｆｉ無線プロファイルＰ２参照）。続くＴ２３０では、ＣＰＵ３２は、ＷＦＤＮＷを利用してＯＫ信号を携帯端末５０に送信する。次いで、Ｔ２３２では、ＣＰＵ３２は、ＷＦＤＮＷを利用して、確認信号を携帯端末８０に送信する。Ｔ２３２〜Ｔ２４２の各処理、及び、続く図６のＴ２５０〜Ｔ２５８の各処理は、図３のＴ８０〜Ｔ１００の各処理と同様であるため、詳しい説明を省略する。
【００８７】
図５のＴ２４０では、ＭＦＰ１０のＣＰＵ３２は、ＷＦＤＮＷを利用して、メモリ３４の通常Ｗｉ−Ｆｉ関係情報１１０内に記憶されている通常Ｗｉ−Ｆｉ無線プロファイルＰ２を携帯端末８０に送信する。また、ＭＦＰ１０のＣＰＵ３２と携帯端末８０のＣＰＵがそれぞれＷＦＤ通信設定を解除する（図６のＴ２５０〜Ｔ２５８）ことにより、ＭＦＰ１０と携帯端末８０の間のＷＦＤ接続が切断される。
【００８８】
次いで、ＭＦＰ１０のＣＰＵ３２は、図６のＴ２６０において、ＷＦＤＮＷを利用して、Deauthentication信号を通常Ｗｉ−Ｆｉ無線プロファイルＰ２の送信元である携帯端末５０にも送信する。
【００８９】
続くＴ２６２では、携帯端末５０のＣＰＵ６２は、ＷＦＤＮＷを利用して、Disassociation信号をＭＦＰ１０に送信する。
【００９０】
ＭＦＰ１０のＣＰＵ３２は、Disassociation信号を受信すると、Ｔ２６４において、管理リスト４３から、ＭＡＣ５０ａ（図１参照）を削除する。管理リスト４３からＭＡＣ５０ａが削除されると、管理リスト４３内にはＣＬ機器のＭＡＣアドレスが存在しなくなる。即ち、ＣＬ機器の数がゼロになる。この場合、Ｔ２６５では、ＭＦＰ１０は、Ｇ／Ｏ状態からデバイス状態に移行する。
【００９１】
また、携帯端末５０のＣＰＵ６２は、Disassociation信号を送信すると、Ｔ２６６において、管理リスト７３（図１参照）から、ＭＡＣ１０ａを削除する。次いで、Ｔ２６８では、携帯端末５０は、ＣＬ状態からデバイス状態に移行する。ＭＦＰ１０のＣＰＵ３２と携帯端末５０のＣＰＵ６２がそれぞれＷＦＤ通信設定を解除（Ｔ２６０〜Ｔ２６８）することにより、ＭＦＰ１０と携帯端末５０の間のＷＦＤ接続が切断される。
【００９２】
次いで、Ｔ２７０〜Ｔ２８４の各処理（通常Ｗｉ−Ｆｉ通信設定）が実行されると、ＭＦＰ１０は、ＡＰ１００が形成する通常Ｗｉ−ＦｉＮＷに参加する。また、Ｔ２８６〜Ｔ２９２の各処理（通常Ｗｉ−Ｆｉ通信設定）が実行されると、携帯端末８０は、ＡＰ１００が形成する通常Ｗｉ−ＦｉＮＷに参加する。なお、Ｔ２７０〜Ｔ２８４の各処理、Ｔ２８６〜Ｔ２９２の各処理は、それぞれ図３のＴ１０８〜Ｔ１１４の各処理と同様の処理であるため、詳しい説明を省略する。
【００９３】
（作用効果）
ケースＣでは、Ｇ／Ｏ機器であるＭＦＰ１０とＣＬ機器である携帯端末５０がＷＦＤＮＷに所属する状態が形成されている。携帯端末５０が、ＡＰ１００が形成する通常Ｗｉ−ＦｉＮＷに参加する場合に、ＷＦＤＮＷを利用して、通常Ｗｉ−Ｆｉで利用されている通常Ｗｉ−Ｆｉ無線プロファイルをＧ／Ｏ機器であるＭＦＰ１０に送信する（図５のＴ２２８参照）。その後、携帯端末５０は、ＷＦＤ通信設定を解除する（即ち、ＭＦＰ１０との間のＷＦＤ接続を切断する）。ＭＦＰ１０は、受信した通常Ｗｉ−Ｆｉ無線プロファイルを利用して、ＡＰ１００が形成する通常Ｗｉ−ＦｉＮＷに参加することができる（図５のＴ２８０参照）。従って、ＭＦＰ１０は、ＷＦＤ通信設定を解除しても、通常Ｗｉ−ＦｉＮＷを利用して携帯端末５０と無線通信し得る。また、ＭＦＰ１０は、ＷＦＤＮＷに所属する他の携帯端末８０に対して、通常Ｗｉ−Ｆｉ無線プロファイルを送信し、携帯端末８０とのＷＦＤ通信設定を解除する。したがって、携帯端末８０も、通常Ｗｉ−ＦｉＮＷを利用して無線通信し得る。
【００９４】
ＣＬ機器は、ＷＦＤＮＷに所属する他の機器にDeathentication信号を送信することができない。ケースＣでは、ＣＬ機器である携帯端末５０がＧ／Ｏ機器であるＭＦＰ１０に通常Ｗｉ−Ｆｉ接続を確立させたことを通知すること（図５のＴ２２４）をトリガとして、ＭＦＰ１０が他のＣＬ機器（携帯端末８０）にDeathentication信号を送信することができる（図６のＴ２５０）。それにより、携帯端末５０だけでなく、ＭＦＰ１０や携帯端末８０も、ＷＦＤ通信設定を解除し、通常Ｗｉ−ＦｉＮＷを利用して通信させることができる。その結果、Ｇ／Ｏ機器であるＭＦＰ１０の処理負荷を軽減させることができる。
【００９５】
（対応関係）
ＭＦＰ１０、図２、図３の携帯端末５０、８０、図４の携帯端末５０、図５の携帯端末５０が、それぞれ、「第１の通信装置」、「第２の通信装置」、「第３の通信装置」、「第４の通信装置」の一例である。また、図５の携帯端末５０が「第１の通信装置」の一例である場合には、図５のＭＦＰ１０が「第２の通信装置」の一例である。ＷＦＤＮＷ、通常Ｗｉ−ＦｉＮＷが、それぞれ、「第１の無線ネットワーク」、「第２の無線ネットワーク」の一例である。Ｇ／Ｏ機器、ＣＬ機器が、それぞれ、「親局」、「子局」の一例である。図２のＭＦＰ１０と携帯端末５０の間でＷＦＤ通信設定（図４のＴ１５０〜Ｔ１５８と同様の処理）が行われることにより、ＭＦＰ１０と携帯端末５０の間でＷＦＤ接続が確立すること、図４のＭＦＰ１０と携帯端末５０の間でＴ１５０〜Ｔ１５８の処理（ＷＦＤ通信設定）が行われることにより、ＭＦＰ１０と携帯端末５０の間でＷＦＤ接続が確立されることが、それぞれ、「第１の無線通信設定を実行する」こと、「第２の無線通信設定を実行する」こと、の一例である。ＡＰ１００が「特定のアクセスポイント」の一例である。通常Ｗｉ−Ｆｉ無線プロファイルが、「特定の無線プロファイル」の一例である。図２のＴ２０、図５のＴ２００における接続操作が、「参加指示」の一例である。図２のＴ２８、図５のＴ２０８で表示部１４に表示されるリスト画面が、「選択画面」の一例である。図１の自動切替機能情報３８が、「設定情報」の一例である。自動切替機能情報３８がＯＮを示す状態、ＯＦＦを示す状態が、それぞれ、「第１の設定」、「第２の設定」の一例である。
【００９６】
図４のＴ１５０〜Ｔ１５４に相当する処理が、「設定部」によって実行される処理の一例である。図２のＴ２０〜Ｔ３４、Ｔ３８の処理、及び、図５のＴ２１２〜Ｔ２１６、Ｔ２１８の処理が、「参加部」によって実行される処理の一例である。図２のＴ５２の処理、図４のＴ１７２の処理、図５のＴ２４０の処理が、「プロファイル送信部」によって実行される処理の一例である。図２のＴ５６〜Ｔ６０の処理、図６のＴ２５０〜Ｔ２５４の処理が、「解除部」によって実行される処理の一例である。図２のＴ２４、図５のＴ２０４の処理が、「情報取得部」によって実行される処理の一例である。図２のＴ２６、図５のＴ２０６の処理が、「判断部」によって実行される処理の一例である。図２のＴ２８、図５のＴ２０８の処理が、「表示制御部」によって実行される処理の一例である。図５のＴ２２８の処理が、「プロファイル受信部」によって実行される処理の一例である。図２のＴ４４〜Ｔ５０の処理が、「確認部」によって実行される処理の一例である。
【００９７】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００９８】
（変形例１）実施例では、ＭＦＰ１０がＧ／Ｏ機器として動作しているが、ＭＦＰ１０がＣＬ機器として動作していてもよい。また、携帯端末５０がＧ／Ｏ機器として動作してもよい。また、通常Ｗｉ−Ｆｉ接続の確立方式は、ＰＩＮ方式であってもＰＢＣ方式であっても構わない。また、無線ネットワークは、ＷＦＤＮＷと通常Ｗｉ−ＦｉＮＷに限られない。アクセスポイントを介さずに通信を行う第１の無線ネットワークと、アクセスポイントを介して通信を行う第２の無線ネットワークであればよい。
【００９９】
（変形例２）実施例では、図２のＴ２０〜Ｔ３４に示されるように、ユーザによって接続操作が入力される場合に、ＡＰ１００とＭＦＰ１０（又は携帯端末５０）との間で通常Ｗｉ−Ｆｉ接続を確立する。しかしながら、通常Ｗｉ−Ｆｉ接続は、接続操作が入力されない場合において確立されてもよい。例えば、例えば、ＭＦＰ１０が、ＡＰ１００が形成する通常Ｗｉ−ＦｉＮＷに参加していた場合において、ＭＦＰ１０がＡＰ１００との通常Ｗｉ−Ｆｉ通信可能な範囲外に移動したことによってＡＰ１００との間の通常Ｗｉ−Ｆｉ接続が切断された後に、ＭＦＰ１０が再び通常Ｗｉ−Ｆｉ通信可能な範囲内に戻った場合に、ＭＦＰ１０のＣＰＵ３２は、自動的に通常Ｗｉ−ＦｉＮＷに再度参加してもよい（即ち、ＡＰ１００との通常Ｗｉ−Ｆｉ接続を再確立してもよい）。この変形例も、「特定のアクセスポイントによって形成されている第２の無線ネットワークに参加する参加部」が行う処理の一例である。
【０１００】
（変形例３）実施例では、ＭＦＰ１０のＣＰＵ３２は、ＷＦＤ通信設定を解除する場合（例えば図２のＴ５６〜Ｔ６０等）には、相手のＷＦＤ機器（例えば携帯端末５０）のＷＦＤＭＡＣを管理リスト４３から削除している。これに限られず、ＭＦＰ１０のＣＰＵ３２は、ＷＦＤ通信設定を解除する場合には、相手のＷＦＤ機器のＷＦＤＭＡＣを管理リスト４３から削除せず、管理リスト４３内の相手のＷＦＤ機器のＷＦＤＭＡＣを利用不可能な状態に変更してもよい。この変形例も、「第１の無線通信設定を解除する」の一例である。
【０１０１】
（変形例４）実施例では、ＭＦＰ１０と携帯端末５０、８０の間で送受信される通常Ｗｉ−Ｆｉ無線プロファイルには、ＡＰ１００のＳＳＩＤ、認証方式、暗号化方式、及び、パスワードが含まれる。これに限られず、ＭＦＰ１０と携帯端末５０、８０の間で送受信される通常Ｗｉ−Ｆｉ無線プロファイルには、少なくとも、ＡＰ１００のＳＳＩＤが含まれていれば、認証方式、暗号化方式、及び、パスワードのうちの１つ以上が含まれていなくてもよい。従って、例えば、通常Ｗｉ−Ｆｉ無線プロファイルが、ＡＰ１００のＳＳＩＤのみを含んでいてもよい。その場合、ＡＰ１００が形成する通常Ｗｉ−ＦｉＮＷは、いわゆるＯｐｅｎＬＡＮ（即ち、パスワード認証を要しない通常Ｗｉ−ＦｉＮＷ）であることを要する。その場合、例えば、図２、図３のケースＡにおいて、携帯端末５０は、ＭＦＰ１０から通常Ｗｉ−Ｆｉ無線プロファイルを受信すると、通常Ｗｉ−Ｆｉ無線プロファイルに含まれるＡＰ１００のＳＳＩＤを送信先として、Probe Request信号をＡＰ１００に送信する。ＡＰ１００が形成する通常Ｗｉ−ＦｉＮＷがＯｐｅｎＬＡＮであるため、携帯端末５０は、続いて、ＡＰ１００との間で、通常Ｗｉ−Ｆｉ方式の接続用データの無線通信を実行することができる。その過程で、携帯端末５０は、ＡＰ１００から認証方式及び暗号化方式を取得する。その結果、携帯端末５０とＡＰ１００との間で通常Ｗｉ−Ｆｉ接続が確立される。この変形例において、ＭＦＰ１０と携帯端末５０、８０の間で送受信される通常Ｗｉ−Ｆｉ無線プロファイルも、「特定の無線プロファイル」の一例である。
【０１０２】
（変形例５）実施例では、リスト画面（図６のＳ１８参照）には、通常Ｗｉ−ＦｉＮＷのＡＰとして動作する周辺装置のＳＳＩＤのみが表示される。これに代えて、リスト画面には、ＡＰとして動作するすべての周辺装置のＳＳＩＤが表示されてもよい。その場合、リスト画面において、ＭＦＤＮＷのＧ／Ｏ機器として動作する周辺装置のＳＳＩＤが選択不可能な表示態様（例えば、グレイアウト）で表示されていればよい。この変形例の表示態様も、「アクセスポイントとは異なる種類の機器であると判断される周辺装置を選択不可能である表示態様」の一例である。また、上記の実施例では、ＭＦＰ１０のＣＰＵ３２は、周辺装置がＡＰであるか否かを、その周辺装置から受信されたProbe Response信号にＰ２Ｐ情報が含まれているか否かによって判断している。これに代えて、例えば、ＣＰＵ３２は、周辺装置がＡＰであるか否かを、その周辺装置から受信されたProbe Response信号に含まれるＳＳＩＤの名前に所定の情報が含まれているかによって判断してもよい。
【０１０３】
（変形例６）実施例では、ＭＦＰ１０のＣＰＵ３２は、Deauthentication信号を、ＣＬ機器のそれぞれに対して送信している（図３のＴ９２等）。これに代えて、ＭＦＰ１０のＣＰＵ３２は、ＷＦＤＮＷに所属する各ＣＬ機器に対し、ブロードキャストによってDeauthentication信号を送信してもよい。また、ケースＡ〜Ｃで説明した各デバイスの処理の順番は、上記実施例で説明した順番に限られるものではない。
【０１０４】
（変形例７）実施例では、ＭＦＰ１０のＣＰＵ３２、携帯端末５０のＣＰＵ６２、携帯端末８０のＣＰＵ、及び、携帯端末９０のＣＰＵは、それぞれ、自動切替機能の設定に従って、ＡＰ１００により形成される無線ネットワークに自機を自動で参加させるか否かの判断を行っている。これに代えて、ＡＰと通常Ｗｉ−Ｆｉ接続を確立させるための接続指示（図２のＴ２０参照）を入力ユーザが、どの機器を自動で通常Ｗｉ−ＦｉＮＷに参加させるかを選ぶようにしてもよい。また、上記の各実施例では、自動切替機能がＯＮされている携帯端末に、確認画面を表示させたが、確認画面を表示させず、ＭＦＰ１０にＯＫを送信させてもよい。
【０１０５】
（変形例８）上記の各実施例では、ＭＦＰ１０のＣＰＵ３２がメモリ３４内のプログラム３６（即ちソフトウェア）を実行することによって、図２〜図６でＣＰＵ３２が実行する各処理が実現される。これに代えて、図２〜図６でＣＰＵ３２が実行する各処理のうちの少なくとも１つの処理は、論理回路等のハードウェアによって実現されてもよい。
【０１０６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１０７】
２：通信システム、１０：多機能機（ＭＦＰ）、３０：制御部、３２：ＣＰＵ、３４：メモリ、５０、８０、９０：携帯端末、１００：アクセスポイント（ＡＰ）
【図１】
2015056681.tif 000003
【図２】
2015056681.tif 000004
【図３】
2015056681.tif 000005
【図４】
2015056681.tif 000006
【図５】
2015056681.tif 000007
【図６】
2015056681.tif 000008